(57)【要約】      （修正有）【課題】ヒノキ材特有の芳香性や殺菌作用、防虫・防かび効果、吸湿効果、精神安定効果などが得られ、安眠効果を最大限に発揮することができる枕を提供する。【解決手段】枕１０は、外カバー１２と、外カバー１２内に挿入される、通気性を備える第１内袋１３及び第２内袋１５と、第１内袋１３に充填される円柱形状のヒノキチップ１４と、第２内袋１５に充填されるヒノキ木毛１６と、を含んで成り、外カバー１２内で、第１内袋１３と第２内袋１５が積層されている。【選択図】図２
0003230511.tif 000002
【実用新案登録請求の範囲】
【請求項１】
外カバーと、
前記外カバー内に挿入される、通気性を備える第１内袋及び第２内袋と、
前記第１内袋に充填される円柱形状のヒノキチップと、
前記第２内袋に充填されるヒノキ木毛と、
を含んで成り、
前記外カバー内で、前記第１内袋と前記第２内袋が積層されていることを特徴とする枕。
【考案の詳細な説明】
【技術分野】
【０００１】
本考案は、ヒノキ材を使用した枕に関する。
【背景技術】
【０００２】
従来から、安眠効果を高めるための枕、特にヒノキ材を使用した枕が種々開示されている（例えば、特許文献１および特許文献２参照。）。特許文献１に開示された枕は、桧材を縦、横の長さを２ｍｍから５ｍｍ程度のチップ状に裁断形成した桧片を、通気性の布材からなる袋の中に適量を封入し、この袋に布材からなるカバーを覆設したことを特徴とする。
【０００３】
この特許文献１に開示された枕によると、天然の桧に含まれるフィトンチッドの効果によって精神を安定させる効果があるので安らかな眠りが得られ、桧片はチップ状の小片に裁断されているので、粒状体に裁断加工されたものと異なり、クッション性にも優れていて、そば殻入りの枕に劣らない感触がある旨、記載されている。
【０００４】
また、特許文献２に開示された安眠枕は、通気性の良い内袋に扁平角形粒状の檜チップを充填したことを特徴とし、更に、前記内袋には粒状弾性体（コルク）が前記檜チップに混合されて充填されていることを特徴とする。
【０００５】
この特許文献２に開示された安眠枕によると、寝床に入ったとき、最初に頭の支持形状が容易に作れ、かつその形状が容易に崩れない保形性を有するような安眠枕を提供することが出来る旨、記載されている。また、通気性の良い内袋及び檜材を使っているので、頭から発生する熱を籠もらせず発散させ、檜の発する芳香のアロマテラピー効果でさらなる安眠が与えられ、さらに、粒状弾性体を混合することによって、頭に当たる感触が柔らかになり心地よい眠りを与える旨、記載されている。
【先行技術文献】
【特許文献】
【０００６】
【特許文献１】特開平８−１４０８０６号公報
【特許文献２】実用新案登録第３０６８０１０号
【考案の概要】
【考案が解決しようとする課題】
【０００７】
特許文献１に開示された枕や特許文献２に開示された安眠枕によると、何れもヒノキ材を使用することによって、ヒノキ材特有の芳香性や殺菌作用、防虫・防かび効果、精神安定効果などが得られ、睡眠の質の向上が図られるものと思料する。
【０００８】
しかし、ヒノキ材のチップは硬いため、寝返りの際に違和感が生じ易く、寝返りを繰り返すうちにチップが締め固められて移動が制限されてしまうと、適度なフィット感が得られず、かえって安眠を妨げてしまうこととなる。
【０００９】
そこで本願考案者は、上記の問題点に鑑み、ヒノキ材を使用することによって得られる安眠効果を最大限に発揮することができる枕を提供するべく鋭意検討を重ねた結果、本考案に至ったのである。
【課題を解決するための手段】
【００１０】
即ち、本考案の枕は、外カバーと、前記外カバー内に挿入される、通気性を備える第１内袋及び第２内袋と、前記第１内袋に充填される円柱形状のヒノキチップと、前記第２内袋に充填されるヒノキ木毛と、を含んで成り、前記外カバー内で、前記第１内袋と前記第２内袋が積層されていることを特徴とする。
【考案の効果】
【００１１】
本考案の枕によると、ヒノキ材特有の芳香性や殺菌作用、防虫・防かび効果、精神安定効果などが得られ、安眠効果の高い枕を提供することができる。特に、本考案の枕に係るヒノキチップが円柱形状をなしているため、硬いヒノキチップでありながら優しい感触を得ることができるとともに、寝返りを繰り返してもヒノキチップ同士が締め固められにくく、適度なフィット感を継続して得ることができる。
【００１２】
また、ヒノキチップ同士が締め固められにくいため通気性も容易に確保でき、ヒノキ材はもともと熱伝導率が低いため、安眠・熟睡効果の高い頭寒足熱の状態を容易に得ることができる。
【００１３】
更に、本考案の枕において、ヒノキチップが充填された第１内袋とともに、ヒノキ材からなるヒノキ木毛を充填した第２内袋を併用することによって、フィット感に優れ、通気性や吸湿性等に優れた、更に安眠効果の高い枕を提供することができる。
【００１４】
また更に、使用者の好みに応じて、硬めの枕が好みの使用者であればヒノキチップが充填された第１内袋を上側に、柔らかめの枕が好みの使用者であればヒノキ木毛が充填された第２内袋を上側にして使用することによって、使用者の好みに応じた枕を提供することができる。
【図面の簡単な説明】
【００１５】
【図１】本考案の一実施形態に係る枕の内部透過斜視図である。
【図２】図１に示した枕の分解斜視図である。
【図３】図１に示した枕におけるＡ−Ａ断面図である。
【考案を実施するための形態】
【００１６】
以下、本考案の枕の一実施形態について、図面に基づいて説明する。図１は、本考案の一実施形態に係る枕１０の内部透過斜視図、図２は、図１に示した枕１０の分解斜視図、図３は、図１に示した本実施形態の枕１０におけるＡ−Ａ断面図である。これらの図に示すように、本考案の一実施形態に係る枕１０は、外カバー１２と、外カバー１２内に挿入される、通気性を備える第１内袋１３及び第２内袋１５と、第１内袋１３に充填される円柱形状のヒノキチップ１４と、第２内袋１５に充填されるヒノキ木毛１６と、を含んで成る。
【００１７】
本実施形態の枕１０に係る第１内袋１３及び第２内袋１５はメッシュ状の袋であって、通気性が確保されている。なお、図示されていないが、これら第１内袋１３及び第２内袋１５には、線ファスナーや面ファスナーを設けることが好ましい。これらのファスナーを設けることによって、によって第１内袋１３及び第２内袋１５が開閉自在となるため、第１内袋１３及び第２内袋１５に充填されるヒノキチップ１４やヒノキ木毛１６の出し入れを容易に行うことができる。
【００１８】
本実施形態の枕１０に係る第１内袋１３に充填されるヒノキチップ１４は、ヒノキ材を円柱形状に成形したチップである。ヒノキチップ１４が円柱形状をなすことによって、ヒノキチップ１４そのものは硬いが、他の立方体形状や直方体形状に比べて優しい感触を得ることができるとともに、寝返りを繰り返してもヒノキチップ１４同士が締め固められにくく、適度なフィット感を継続して得ることができる。
【００１９】
なお、ヒノキチップ１４のサイズは特に限定されないが、直径３〜１０ｍｍ、高さ１０〜２０ｍｍであることが好ましく、直径５〜８ｍｍ、高さ１２〜１８ｍｍであることが特に好ましい。ヒノキチップ１４のサイズがあまりに小さくなると、寝返りを繰り返すことによってヒノキチップ１４同士が締め固められやすくなり、あまりに大きくなるとヒノキチップ１４の硬さを感じやすくなって、何れの場合も適度なフィット感が得られなくなる。
【００２０】
本実施形態の枕１０に係る第２内袋１５に充填されるヒノキ木毛１６は、ヒノキ材の木目に対して平行に、幅１〜２ｍｍ程、厚み０．１〜０．２ｍｍ程の糸状に削ったものである。ヒノキ木毛１６はヒノキチップ１４に比べて表面積が広く、また復元性も非常に高いため、防虫・防かび効果や消臭効果、吸湿効果がより得られやすくなるとともに、柔らかいフィット感を得ることができる。
【００２１】
そして、本実施形態の枕１０は、外カバー１２内において、ヒノキチップ１４が充填された第１内袋１３と、ヒノキ木毛１６が充填された第２内袋１５が積層されることによって形成されていることを特徴とする。第１内袋１３や第２内袋１５にファスナー（不図示）を設けることによって、各内袋に充填されるヒノキチップ１４やヒノキ木毛１６の充填量を容易に調整することができ、使用者の好みに応じた硬さ及び高さを備えた枕１０を提供することができる。
【００２２】
また、硬めの枕１０が好みの使用者であればヒノキチップ１４が充填された第１内袋１３を上側に、柔らかめの枕１０が好みの使用者であればヒノキ木毛１６が充填された第２内袋１５を上側にして使用することによって、使用者の好みに応じた枕１０を提供することができる。
【００２３】
以上の構成を備える本考案の一実施形態に係る枕１０によると、ヒノキ材特有の芳香性や殺菌作用、防虫・防かび効果、精神安定効果などが得られ、安眠効果の高い枕１０を提供することができる。特に、本実施形態の枕１０に係るヒノキチップ１４が円柱形状をなしているため、硬いヒノキチップ１４でありながら優しい感触を得ることができるとともに、寝返りを繰り返してもヒノキチップ１４同士が締め固められにくく、適度なフィット感を継続して得ることができる。
【００２４】
また、ヒノキチップ１４同士が締め固められにくいため通気性も容易に確保でき、ヒノキ材はもともと熱伝導率が低いため、安眠・熟睡効果の高い頭寒足熱の状態を容易に得ることができる。
【００２５】
更に、本実施形態の枕１０において、ヒノキ材からなるヒノキ木毛１６を充填した第２内袋１５を併用することによって、優しいフィット感が得られるとともに、通気性や吸湿性等に優れた、より安眠効果の高い枕１０を提供することができる。
【００２６】
以上、本考案の枕の実施形態について詳述したが、本考案の技術的思想を実質的に限定するものと解してはならない。例えば、本考案の枕に係る外カバーの生地は特に限定されず、通気性を備えるものであれば、パイル生地やガーゼ生地、デニム生地等、何れであってもよい。本考案はその要旨を逸脱しない範囲で、当業者の創意と工夫により、適宜に改良、変更又は追加をしながら実施できる。
【符号の説明】
【００２７】
１０：枕
１２：外カバー
１３：第１内袋
１４：ヒノキチップ
１５：第２内袋
１６：ヒノキ木毛
【図１】
0003230511.tif 000003
【図２】
0003230511.tif 000004
【図３】
0003230511.tif 000005